(57)【要約】【課題】　ピックアップレンズ面のゴミの除去機能に優れるレンズクリーニング用ディスクを提供する。【解決手段】　ディスク２０の使用に際してピックアップレンズに相対可能な位置に、ブラシ体２１が設けられたレンズクリーニング用ディスクにおいて、ブラシ体２１が、ディスク２０の回転に際して内端側２１ａが外端側２１ｂに比してその回転方向における前段に位置するようにディスク２０の半径方向に対して傾斜配置されてなるもの。【選択図】　　　　図２
2004139723.tif 000002
【特許請求の範囲】
【請求項１】
ディスクの使用に際してピックアップレンズに相対可能な位置にブラシ体が設けられ、カートリッジに収納されたレンズクリーニング用ディスクにおいて、
　前記ブラシ体が、前記ディスクの回転に際して内端側が外端側に比してその回転方向における前段に位置するように前記ディスクの半径方向に対して傾斜配置されてなることを特徴とするレンズクリーニング用ディスク。
【請求項２】
前記傾斜配置における傾斜角度を、５〜９０°としてなる請求項１記載のレンズクリーニング用ディスク。
【請求項３】
前記ディスク及び／またはブラシ体を導電性としてなる請求項１または請求項２記載のレンズクリーニング用ディスク。
【発明の詳細な説明】
【技術分野】
【０００１】
　本発明は、光情報記録再生装置等のピックアップレンズのクリーニング用ディスクの改良に関する。
【背景技術】
【０００２】
　光情報記録再生装置等においてディスクに相対配置されるピックアップレンズは、高密度の信号を再生するために高い光学的性能が要求される。したがって、ピックアップレンズにゴミやホコリが付着したりすると光学的性能が低下する。　そこで、最近ではピックアップレンズのゴミやホコリをレンズクリーニング用ディスクを使用して除去するようにしている。
【０００３】
　このレンズクリーニング用ディスクは、ディスクのピックアップレンズに相対する位置にブラシを取り付けたもので、通常の光ディスクと同様に用いられることで、レンズクリーニング用ディスクが回転してブラシがピックアップレンズ面に付着したゴミやホコリを除去するようになっている。
【特許文献１】特公平１−４３３８６
【発明の開示】
【発明が解決しようとする課題】
【０００４】
　しかしながら、従来におけるレンズクリーニング用ディスクでは、ブラシにより一旦ピックアップレンズから除去され飛散してピックアップレンズ周囲に浮遊したゴミやホコリが、再びピックアップレンズ面に付着することとなり、結果的にはピックアップレンズからゴミが十分に除去されないという問題点があった。　本発明は、このような実情に着目してなされたものであって、ゴミの除去機能に優れるレンズクリーニング用ディスクを提供することを目的としている。
【課題を解決するための手段】
【０００５】
　この発明の請求項１記載の発明では、ディスクの使用に際してピックアップレンズに相対可能な位置に、ブラシ体が設けられたカートリッジに収納されたレンズクリーニング用ディスクにおいて、前記ブラシ体が、前記ディスクの回転に際して内端側が外端側に比してその回転方向における前段に位置するように前記ディスクの半径方向に対して傾斜配置されてなる構成とした。
【０００６】
　また、上記構成においてブラシ体が回転可能に設けられることで、ブラシ体がピックアップレンズ面に接触する際の接触抵抗が小さくなる。
【０００７】
　上記構成によれば、所定の方向に傾斜配置されたブラシ体がピックアップレンズ面より除去されたゴミやホコリをディスク面上の外方に送り出す。
【０００８】
　また、ディスクがカートリッジシェル内に収納されピックアップレンズ面のゴミやホコリを除去するように用いられる場合、ブラシ体がカートリッジシェルのブラシ体が露呈する開口からカートリッジシェル内に入り込んでいく際、上記のようにブラシ体が傾斜配置されていることでブラシ体と開口縁との接触抵抗が軽減される。
【０００９】
　さらに、上記のゴミやホコリの送り出しの作用は、ブラシ体がその傾斜角度を５〜９０°とされる（請求項２記載の発明）ことで発揮される。
【００１０】
　さらに、ディスク及び／またはブラシ体を導電性とする（請求項３記載の発明）ことで、ピックアップレンズ部分での静電気の発生が抑制され、また、発生した静電気は除去される。
【発明の効果】
【００１１】
　以上の説明から明らかなように、この発明の請求項１及び２記載の発明によれば、ブラシ体がピックアップレンズ面より除去されたゴミやホコリをディスク面上の外方に送り出すことで再度ピックアップレンズに付着することが回避され、これによりブラシ体によるゴミやホコリの除去効率が高められる。
【００１２】
　くわえて、ディスクがカートリッジシェル内に収納されピックアップレンズ面のゴミやホコリを除去するように用いられる場合、ブラシ体とカートリッジシェルの開口縁との接触圧力が軽減されるので、これにより、ブラシ体の傷みが軽減されるとともに、ディスクの回転トルクが大きくなることによるドライブ装置の故障の発生も回避されるようになる。
【００１３】
　さらに、ディスク及び／またはブラシ体を導電性とする（請求項３記載の発明）ことで、ピックアップレンズ部分での静電気の発生が抑制され、また、発生した静電気は除去されるので、これにより、ピックアップレンズへのゴミやホコリの再付着が確実に防止できるようになる。
【発明を実施するための最良の形態】
【００１４】
（実施形態）　
　図１はレンズクリーニング用ディスクの平面図、図２はそのディスクをカートリッジシェル内に収納したレンズクリーニング用ディスクカートリッジの平面図である。
【００１５】
　レンズクリーニング用ディスク２０には、ブラシ体２１が、使用される際にそのピックアップレンズの相対可能な位置に、ディスク２０の回転に際して内端側２１ａが外端側２１ｂに比してその回転方向における前段に位置するようにディスク２０の半径方向に対して、傾斜角度θを約６０°として傾斜配置されて設けられている。ブラシ体２１の構造、製造については後に詳しく説明する。
【００１６】
　カートリッジシェル２４にはブラシ体２１が露呈するための長方形の開口２５が存在し、ブラシ体２１の毛体２３の先端部分はピックアップレンズに接触するためにその開口２５から突出している。この突出長さはピックアップレンズ面のゴミやホコリを十分に除去するにはある程度大きくとられる必要がある。そして、今ピックアップレンズの清掃のためにディスク２０がＸ方向に回転されると、その毛体２３の先端部分は開口２５の一方側の側縁２５ａに衝突し、その後折れ曲がり状態となってカートリッジシェル２４の内面側に入っていくこととなる。図３はクリーニング用ディスクが用いられる際の回転に伴うディスク２０の受ける回転トルク（□がこの実施形態におけるもの、△が比較例におけるもの）の変化を示すグラフである。
【００１７】
　グラフにおいて、ＳからＥの回転角度範囲がブラシ体２１の毛体２３がカートリッジシェル２４の開口２５の一方側の側縁２５ａに接触する期間にほぼ相当する。ＳからＥの回転角度範囲以外、すなわち、ブラシ体２１がカートリッジシェル２４の内に入り込んでいる期間とブラシ体２１が開口２５部分に露呈していても開口２５の側縁２５ａに毛体２３が接触していない期間とでは、毛体２３が側縁２５ａに接触していないので回転トルクは小さく、この際のトルク量を「１」と設定している。そして、ＳからＥの接触の期間においては、回転トルク値は「３．８」レベルまで漸次高くなっていくが、それほど高くなることはない。これはブラシ体２１が所定の方向に傾斜配置されていることで、ブラシ体２１の毛体２３は内端側２１ａから外端側２１ｂわたって順次開口２５の側縁２５ａに衝突後スムーズに折れ曲がってカートリッジシェル２４内に入っていくことにより、そこに大きな接触抵抗が発生しないからと考えられる。これによりブラシ体２１の毛体２３の傷みが軽減されるとともに、ディスク２０の回転トルクが大きくなることによるドライブ装置の故障の発生も回避されるようになっている。
【００１８】
　比較例のものは、図４、図５に示すように、そのブラシ体３１がディスク３０の半径方向に取り付けられた一般的な構成を備えるものである。そして、比較例のものではＳからＥの回転角度範囲の後半期間においては回転トルク量は「８」から「１２」レベルまで高騰する。比較例のものでは、ディスク３０がＸ方向に回転されると、ブラシ体３１の毛体３３はカートリッジシェル３４の開口３５の一方側の側縁３５ａにその外端側３１ｂから内端側３１ａが順次衝突して折れ曲がっていく。その際初期の外端側３１ｂ部分の接触抵抗は大きくないが、内端側３１ａ部分に至った際には毛体３３が固まり状態となり接触抵抗が非常に大きくなり、これによりディスク３０の回転トルクが高騰すると考えられる。
【００１９】
　また、図６はこの実施形態のものが使用される際のディスク２０面でのディスク２０回転時の対流Ｔの発生状態を示し、図７は上記の図４、図５に示すものの対流発生状態を示す。
【００２０】
　この実施形態のようにブラシ体２１が所定方向に傾斜配置された構成では、ディスク２０のＸ方向への回転に際し、ブラシ体２１の前面側に衝突した空気はブラシ体２１の傾斜する面に沿って外方に送り出され、これに伴ってゴミやホコリもディスク２０面上の外方側に送り出される。図７に示すように、ブラシ体３１が半径方向に設けられたものでは、ブラシ体３１の前面側に衝突した空気は外方に送り出されるものの、ブラシ体３１の外端を越えた位置からブラシ体３１の後面側に巻き込まれる。したがって、ゴミやホコリがディスク３０面上の内方側に残ることとなる。
【００２１】
　図８はディスク上のゴミ、ホコリの半径方向における数量分布を示すグラフである。ここにおける実験値は１０００回転のクリーニング動作後のものである。斜線の棒線それぞれがこの実施形態におけるもの、白抜きの棒線それぞれが比較例におけるものを示す。
【００２２】
　ゴミ、ホコリの数量は、この実施形態において最もその存在量が少なかった半径２５ｍｍ部分の量を「１」と設定している。この実施形態におけるものでは、ディスク２０面の外方位置である半径が３５〜５０ｍｍ部分に「５」から「８」の範囲でゴミやホコリが多く存在するのに対し、比較例のものでは内方位置である半径３０ｍｍ部分に「１０」に達する多量のゴミやホコリが存在する。現状のピックアップレンズはディスクの半径２７．５ｍｍ位置に相対するので、比較例のものではその位置に多量のゴミやホコリが存在し、ブラシ体により除去されてもすぐにピックアップレンズにゴミやホコリが付着してしまい、ブラシ体によるゴミやホコリの除去効果が小さいが、この実施形態のものではそのようなことがなく大きな除去効果が得られる。この対流発生によるゴミやホコリの外方への送り出し効果は、ブラシ体が内端側が外端側に比してその回転方向における前段に位置するように半径方向に対して５〜９０°傾斜配置されることで得られる。
【００２３】
　以下、ブラシ体の構造について説明する。
【００２４】
　ブラシ体２１はその平面構成を長方形とし、アクリル、ポリプロピレン、ポリエチレン、ナイロン、フッ素樹脂、またはガラス繊維などの材料を繊維状に加工したものを直接ディスクに融着もしくは接着するか、または布地または固形に加工した上記樹脂またはブチルゴム、シリコンゴムなどの樹脂または木綿、絹などの基材に織り込むか、融着または接着したものをディスク面に貼り付けて構成する。上記のように織り込む場合は、その織り込み方向はブラシ体２１の長手方向とする。
【００２５】
　また、例えば炭素、金属、金属酸化物などの導電性材料をブラシ体２１を構成する原料に混入させるか、ブラシ体２１を加工した後にめっき、スパッタリング、蒸着などによって導電性材料をコーティングしてブラシ体２１は導電性を有する構成とされている。これにより、ブラシ体２１でピックアップレンズのゴミやホコリを除去する際に、ピックアップレンズ部分での静電気の発生を押さえ、また、発生した静電気がブラシ体２１を通して除去されるようにしている。
【００２６】
　くわえて、ディスク２０面に上記の導電性材料を混入した樹脂、例えば、紫外線硬化型のアクリル樹脂、アクリルウレタン樹脂、または熱硬化型のエポキシ樹脂、シリコーン樹脂などを塗布して、ディスク２０面に導電性の塗膜が形成された構成とされている。このような構成により、ブラシ体２１からの静電気がディスク２０面を介して効率良く除去されるようになっている。
【００２７】
　そして、この実施形態においては、上記の対流発生によるディスク２０面の内方位置におけるゴミとホコリの除去効果と、ピックアップレンズ部分での静電気の発生抑制と除去効果とが併せて得られることで、ピックアップレンズへのゴミやホコリの再付着が確実に防止されるようになっている。
【図面の簡単な説明】
【００２８】
【図１】この発明の実施形態におけるレンズクリーニング用ディスクの平面図
【図２】この発明の実施形態におけるレンズクリーニング用ディスクを用いたディスクカートリッジの平面図
【図３】回転トルクを説明するためのグラフ
【図４】比較例のものにおけるレンズクリーニング用ディスクの平面図
【図５】比較例のものにおけるレンズクリーニング用ディスクを用いたカートリッジの平面図
【図６】この発明の実施形態における対流発生状態を示す平面図
【図７】比較例のものにおける対流発生状態を示す平面図
【図８】ゴミ、ホコリのディスク上の分布を説明するためのグラフ
【符号の説明】
【００２９】
　２０　　レンズクリーニング用ディスク
　２１　　ブラシ体
　２３　　毛体
　２１ａ　　　内端側
　２１ｂ　　　外端側
【図１】
2004139723.tif 000003
【図２】
2004139723.tif 000004
【図３】
2004139723.tif 000005
【図４】
2004139723.tif 000006
【図５】
2004139723.tif 000007
【図６】
2004139723.tif 000008
【図７】
2004139723.tif 000009
【図８】
2004139723.tif 000010